(57)【要約】【課題】被収納物を使用したり取りだしたりするのが容易でありながらも、被収納物の保護機能を高められるようにする。【解決手段】一側に開口２２を有する偏平袋状のケース本体２１と、開口２２を通してケース本体２１内に収まり被収納物１２を保持する台紙３１を備える。ケース本体２１と台紙３１との間に、台紙３１をケース本体２１に収納したときにケース本体２１の内底に位置する台紙３１の内底側端部３２をケース本体２１の内底位置と開口２２の外側位置との間で引き出し入れ可能に連結する帯状の連結材４１を設ける【選択図】図１
2018038580.tif 000002
【特許請求の範囲】
【請求項１】
一側に開口を有する偏平袋状のケース本体と、
前記開口を通して前記ケース本体内に収まり被収納物を保持する台紙を備え、
前記ケース本体と前記台紙との間に、前記台紙を前記ケース本体に収納したときに前記ケース本体の内底に位置する前記台紙の内底側端部を前記ケース本体の内底位置と前記開口の外側位置との間で引き出し入れ可能に連結する連結材が設けられた
収納ケース。
【請求項２】
前記連結材における前記台紙を引き出したときに前記開口より外側に出る部分の長さが、前記台紙または前記ケース本体を反転して前記ケースと前記台紙を重ね合わせるのに必要な長さである
請求項１に記載の収納ケース。
【請求項３】
前記連結材の前記台紙側の端部が、前記台紙の前記内底側端部に形成され、
前記連結材の前記ケース本体側の端部が、前記ケース本体内の前記台紙と重なり合う面における前記内底位置と前記開口の間の中間部に形成された
請求項１または請求項２に記載の収納ケース。
【請求項４】
前記台紙または前記ケース本体の少なくともいずれか一方に、前記ケース本体内に収納された前記台紙の収納状態を保持する保持具を備えた
請求項１から請求項３のうちいずれか一項に記載の収納ケース。
【請求項５】
前記台紙に、前記台紙を斜めに立てて支持する支持片を備えた
請求項１から請求項４のうちいずれか一項に記載の収納ケース。
【請求項６】
前記支持片が前記台紙の引き出し入れ方向に延びる形状であり、
前記支持片に前記支持片を前記台紙の引き出し入れ方向と交差する方向で屈曲させた屈曲状態に保持する留め具を備えた
請求項５に記載の収納ケース。
【請求項７】
前記台紙に、前記台紙の引き出し入れ方向に延びる支持片が設けられ、
前記支持片に前記支持片を前記台紙の引き出し入れ方向と交差する方向で屈曲させた屈曲状態に保持する留め具を備えるとともに、
前記支持片の端部に、前記ケース本体内に収納された前記台紙の収納状態を保持する保持具を備えた
請求項１から請求項３のうちいずれか一項に記載の収納ケース。
【発明の詳細な説明】
【技術分野】
【０００１】
この発明は、携帯したり携行したりする物品を収納する収納ケースに関し、より詳しくは、被収納物の保護機能が高い収納ケースに関する。
【背景技術】
【０００２】
スマートフォンなどの電子機器や名刺、筆記具などの物品を携帯したりする場合には、それら物品を保護するために物品をケースに入れたりカバーで覆ったりする。これらのケースやカバーは通常、ブックカバーのように二つ折りに形成されていて、物品は必要な時にすぐに開いて使用したり取りだしたりできる。
【０００３】
スマートフォンなどのケースやカバーの場合には、二つ折りの状態を保持するためのタブを備えたものがあるが、二つ折りの折り曲げ部分以外の３面がほとんど露出した状態である。このためタブによってケースやカバーの閉じた状態が維持されていたとしても、不測に落とした時にスマートフォンなどが損傷することがあった。
【０００４】
このような二つ折り構造ではなく、下記特許文献１に開示されているように袋構造の収納ケースもある。この収納ケースは、連結部材の端部を袋体内の底に固定し、連結部材の他端部に引出片を連設しており、連結部材の上面には間隔をあけて並べた複数の仕切片を備えている。引出片の上部は袋体内から外に出して、袋体の前面に重ねられるようしている。この収納ケースでは、引出片を袋体から引き上げると、連結部材がつられて移動し、仕切片の上端部が袋体内から上に出て、仕切片間に収納したプリペイドカードやキャッシュカードなどが視認しやすく出し入れしやすくなる。
【０００５】
しかし、仕切片は複数の被収納物を仕切るだけであって被収納物を保持するものではないので、落下させれば被収納物が飛び出して脱落してしまう。
【０００６】
カードの取出しは前述のように引出片を引き上げて行うが、引出片を引き上げても収納したカードは全体が出るわけではなく、あくまでも必要なカードが選びやすくなるだけであった。またカードの収納状態においては、引出片を袋体内に収めると連結部材は袋体内の底で波打つように圧縮されるので、収納された複数のカードの下端位置は不揃いになる。
【先行技術文献】
【特許文献】
【０００７】
【特許文献１】特許第３０６０２７５号公報
【発明の概要】
【発明が解決しようとする課題】
【０００８】
この発明は、被収納物を使用したり取りだしたりするのが容易でありながらも、被収納物の保護機能を高めることを主な目的とする。
【課題を解決するための手段】
【０００９】
そのための手段は、一側に開口を有する偏平袋状のケース本体と、前記開口を通して前記ケース本体内に収まり被収納物を保持する台紙を備え、前記ケース本体と前記台紙との間に、前記台紙を前記ケース本体に収納したときに前記ケース本体の内底に位置する前記台紙の内底側端部を前記ケース本体の内底位置と前記開口の外側位置との間で引き出し入れ可能に連結する連結材が設けられた収納ケースである。
【００１０】
この構成では、袋状のケース本体が台紙上の被収納物を、たとえ不測に落下させた場合でも被収納物を保持する台紙との協働で衝撃等から保護する。台紙はケース本体の開口から出し入れされるものであるが、台紙は被収納物を保持するので、たとえ落下させてしまった場合でも被収納物の脱落を抑制する。またケース本体と台紙を連結する連結材は台紙全体をケース本体から引き出せるようにして、台紙上の被収納物の使用や出し入れを容易に行わせる。
【発明の効果】
【００１１】
この発明によれば、台紙に保持した被収納物を袋状のケース本体に収納する構成であるので、被収納物の保護機能は高い。そのうえ、台紙の全体をケース本体から引き出せるので、被収納物の使用や取りだしが容易に行える。
【図面の簡単な説明】
【００１２】
【図１】収納ケースの台紙を引き出した状態の斜視図。
【図２】収納ケースの斜視図。
【図３】収納ケースの一部断面側面図。
【図４】収納ケースの使用状態の斜視図。
【図５】収納ケースの開口側から見た側面図。
【図６】保持具の他の例を示す断面図。
【図７】保持具の他の例を示す側面図。
【図８】保持具の他の例を示す断面図。
【図９】他の例に係る収納ケースの断面図。
【図１０】図９に示した収納ケースの使用状態の斜視図。
【図１１】図９に示した収納ケースの使用状態の斜視図。
【図１２】他の例に係る収納ケースの台紙を引き出した状態の斜視図。
【図１３】他の例に係る収納ケースの台紙を引き出した状態の斜視図。
【図１４】図１３に示した収納ケースの台紙を引き出した状態の一部断面側面図。
【図１５】図１３に示した収納ケースの使用状態の一部断面側面図。
【図１６】他の例に係る収納ケースの使用状態の斜視図。
【図１７】他の例に係る収納ケースの使用状態の平面図。
【発明を実施するための形態】
【００１３】
この発明を実施するための一形態を、以下図面を用いて説明する。  
図１に示した収納ケース１１は、一例であるスマートフォンケース１１ａであり、被収納物１２であるスマートフォン１２ａを引き出した状態を示している。
【００１４】
収納ケース１１は、ケース本体２１と台紙３１を備えている。ケース本体２１は一側に開口２２を有する偏平袋状である。この例では収納ケース１１の平面視形状が長方形である例を示すが、その他の形状であってもよい。ケース本体２１は表面部２３と、裏面部２４と、これらを連結する底面部２５及び側面部２６を有している。具体的には表面部２３と底面部２５と裏面部２４を一枚のシート材で構成し、このシート材を表面部２３と裏面部２４の間に適宜の間隔をあけて二つ折りにした状態にして、別のシート材からなる側面部２６で二つ折り状態を保持した構成である。開口２２は底面部２５の反対側の辺全体に形成されている。
【００１５】
台紙３１は、開口２２を通してケース本体２１内に収まるものであり、図２に示したようにケース本体２１の表面部２３や裏面部２４よりも一回りほど小さい大きさの板状に形成されている。台紙３１は変形可能なものであっても容易には変形しない剛性を有するものであってもいずれでもよい。衝撃吸収の観点からは適宜の剛性を有しながらも変形性を有するものであるほうがよい。例えばベルポーレンのような発泡樹脂板を芯材として台紙３１を構成するとよい。前述したケース本体２１の表面部２３等を構成するシート材も同様で、前述例のような芯材を用いて構成することができる。
【００１６】
台紙３１におけるケース本体２１内に収納したときにケース本体２１の内底に位置する部分、つまり底面部２５側の部分である内底側端部３２の２つの角部には、角アール部３３が形成されている。角アール部３３は台紙３１のケース本体２１内に対する差し込みを円滑にする。
【００１７】
また台紙３１は被収納物１２を保持するものであり、被収納物１２であるスマートフォン１２ａを保持するホルダ３４が台紙３１の表面３１ａに固定されている。ホルダ３４に保持した状態であってもスマートフォン１２ａのカメラ機能を発揮させるために、ホルダ３４と台紙３１にはカメラ穴３５が形成されている。カメラ穴３５は、スマートフォン１２ａの取り付け向きに関わらずカメラ機能を利用できるように対角線上の２箇所に形成して、収納ケース１１を右利き左利き両用としている。
【００１８】
このようなケース本体２１と台紙３１は連結材４１で連結されている。連結材４１は薄くて柔軟なシート材で構成され、ケース本体２１の開口２２の幅よりも狭い適宜幅の帯状である。連結材４１は図３に示したように台紙３１をケース本体２１につなぎとめるものであり、台紙３１の内底側端部３２をケース本体２１の内底位置と開口２２の外側位置との間で引き出し入れ可能に連結する。
【００１９】
連結材４１における台紙３１を引き出したときに開口２２より外側に出る部分の長さは、図４に示したように台紙３１またはケース本体２１を反転してケース本体２１と台紙３１を重ね合わせるのに必要な長さである。
【００２０】
連結材４１は図３に示したように、台紙３１側の端部４２が台紙３１の内底側端部３２に形成され、ケース本体２１側の端部４３がケース本体２１内の台紙３１と重なり合う面、具体的には裏面部２４の内面における内底位置と開口２２の間の中間部に形成されている。ここで、連結材４１の「端部」４２，４３とは、柔軟に変形する部分の端部、換言すれば実質的に連結材４１としての機能を果たす部分の端部の意味であって、連結材４１を構成する材料の端部が例えば台紙３１に重なる部分にあっても、その材料の端部は、ここで言う連結部材４１の端部４２，４３ではない。また、「中間部」とは、内底位置と開口２２の間の厳密な中間点のみを意味するのではなく、その近傍の位置を含む意味である。「中間部」はケース本体２１と台紙３１の大きさなどの条件によって適宜設定される。
【００２１】
連結材４１の両端を前述のように設定するのは、台紙３１をケース本体２１内に収納したときに連結材４１がいたずらにしわにならず、台紙３１を引き出したときには伸び切り、必要な連結材４１の長さを短くできるからである。
【００２２】
連結材４１のほか、台紙３１またはケース本体２１の少なくともいずれか一方には、ケース本体２１内に収納された台紙３１の収納状態を保持する保持具５１が備えられている。この例の保持具５１は、タブ５２を用いて構成されている。タブ５２は適宜幅の短冊形状で、台紙３１の内底側端部３２と反対側の開口側端部３６の幅方向の中間部に設けられており、先端部の内面にスナップの一方５３を有している。スナップの一方５３は、ケース本体２１の表面部２３の外面に設けられたスナップの他方５４に係合するものである。
【００２３】
図５は台紙３１を収納し保持具５１を閉じた状態の収納ケース１１を開口２２側から見た側面図であり、ケース本体２１の裏面部２４側から表面部２３側まで、連結材４１と台紙３１とホルダ３４が順に重なることになり、開口２２の幅方向中間部のうち台紙３１と表面部２３の間が保持具５１のタブ５２で閉じられる。
【００２４】
保持具５１を構成するタブ５２の固定には、スナップ５３，５４に代えて、例えば図６に示したように磁石５５と磁着性板５６を備えてもよい。タブ５２にはスナップや磁石で固定せず、ケース本体２１に形成された保持穴（図示せず）にタブ５２の先端部を差し込んで固定するように構成してもよい。
【００２５】
保持具５１を構成するタブ５２は図７に示したように、台紙３１に備えるのではなくケース本体２１の裏面部２４に備えてもよい。
【００２６】
保持具５１は前述のようなタブ５２を用いずに、図８に示したように、台紙３１とケース本体２１の裏面部２４とに磁石５５と磁着性板５６を備えて構成してもよい。磁石５５と磁着性板５６は、開口２２側の部位に備えられる。
【００２７】
前述したいずれの場合も、磁石に代えて例えば面ファスナなど、他の係止手段を用いることも可能である。
【００２８】
以上のように構成された収納ケース１１は、ケース本体２１から引き出した台紙３１のホルダ３４に被収納物１２であるスマートフォン１２aを取り付けて使用する。被収納物１２の着脱は台紙３１全体が収納ケース２１からでるので作業しやすい。台紙３１をケース本体２１に収納してタブ５２を閉じれば、被収容物１２は保護される。
【００２９】
収納ケース１１をたとえ落下させても、留め具５１で閉じられているので台紙３１がケース本体２１から出ることはなく、ケース本体２１と、ケース本体２１に連結材４１を介して連結されている台紙３１とが緩衝作用をするので、被収納物１２を十分に保護できる。しかもケース本体２１は袋状であり、開口２２を除く３辺はほとんど閉鎖されているので被収納物１２を損傷から守ることができる。
【００３０】
万が一、台紙３１がケース本体１２から飛び出すようなことがあっても、連結部４１が台紙３１をケース本体２１に近い位置にとどめるとともに、ホルダ３４が被収納物１２を保持するので、被保持物１２の損傷を抑制できる。
【００３１】
台紙３１の引き出し入れに際しては、連結材４１が帯状であるので台紙３１とケース本体２１との間がねじれるようなことを回避でき、作業が極めて安定して行える。しかも、連結材４１における台紙３１を引き出したときに開口２２より外側に出る部分の長さは、ケース本体２１と台紙３１を重ね合わせるのに必要な長さに設定しているので、台紙３１が出過ぎることはなく、重ね合わせ作業などの取り扱いが容易である。
【００３２】
台紙３１を引き出すときには、台紙３１に形成されて留め具５１を構成するタブ５２が引き出す際の摘みとして機能するので、引き出し作業は留め具５１の解除動作と一連に行え、操作性がよい。
【００３３】
台紙３１をケース本体２１に収納するときには、台紙３１を単に押し込むだけで連結材４１が台紙３１の移動に従って表裏反転するように整然と変形し、ケース本体２１内の底面部２５側に比較的伸びた状態で収まる。一方、台紙３１を引き出したときには、連結材４１の全体がのびた状態で、台紙３１をケース本体２１の開口２２の外側近傍にとどめる。
【００３４】
被収納物２１を使用するときには、図１のように引き出した台紙３１、またはケース本体２１を反転して、図４に示したように台紙３１とケース本体２１を重ね合わせる。被収納物１２は全体がケース本体２１から出て、重ねることによって一つにまとまるので、片手で簡単に保持して容易に操作できる。
【００３５】
以下に、収納ケース１１の他の例を説明する。この説明において、前述と同一の構成については同一の符号を付してその詳しい説明を省略する。  
図９に示した収納ケース１１は名刺入れ１１ｂであり、図９ではその縦断面を示している。この図に示すように、基本的には前述と同様の構成であり、台紙３１の表面３１ａに加えて裏面３１ｂに被収納物１２としての名刺１２ｂ（図１０、図１１参照）を保持する差し込みポケット３７が形成されている。またケース本体２１の表面部２３の内面には、名刺１２ｂをはじめ適宜の被収納物１２を収納できる内ポケット２７を備えている。
【００３６】
台紙３１は全体がケース本体２１から出る構成であるので、前述のように台紙３１の表裏両面３１ａ，３１ｂに被収納物１２を保持するための構成を備えることができる。
【００３７】
このような構成の収納ケース１１は、図１０に示したように台紙３１の表面３１ａを表に出して使用することも、図１１に示したように台紙３１の裏面３１ｂを表に出して使用することもできる。
【００３８】
図１２に示した収納ケース１１は筆記具入れ１１ｃであり、図１２では台紙３１を引き出した状態を示している。台紙３１の表面３１ａには、被収納物１２としてのペンなどの筆記具１２ｃや消しゴム（図示せず）などを収納できる保持皿３８が固定されている。保持皿３８は上面全体が開口している平面視長方形で、上面の一部には、収納される筆記具１２ｃの長手方向と直交する方向に延びるゴムバンド３８ａが取り付けられている。このゴムバンド３８ａは被収納物１２を押さえるものである。
【００３９】
図１２に示した例では、筆記具１２ｃをケース本体２１の開口２２の長さ方向に延ばして収容する例を示したが、被収納物１２が例えば色鉛筆など多数本の筆記具１２ｃを収容する場合には、筆記具１２ｃをケース本体２１の開口２２の長さ方向と直交する方向に延ばして収容するように構成するとよい。
【００４０】
図１３に示した収納ケース１１はタブレット端末ケース１１ｄであり、図１３では台紙３１を引き出した状態を示している。台紙３１の表面３１ａの四隅には被収納物１２としてのタブレット端末１２ｄを保持するゴムバンドからなる保持バンド３９が固定されている。また台紙３１は、この台紙３１を斜めに立てて支持する支持片６１を備えている。
【００４１】
支持片６１は、台紙３１の引き出し入れ方向に延びる形状であり、適宜幅の帯状に形成されて、台紙３１の裏面３１ｂにおける内底側端部３２の長さ方向の中間部に備えられている。この支持片６１に支持片６１を台紙３１の引き出し入れ方向と交差する方向で屈曲させた屈曲状態に保持する留め具６２を備えている。
【００４２】
具体的には支持片６１は、台紙３１の引き出し入れ方向の長さよりも長く形成されており、図１４に示したように長手方向の一端部６１ａが台紙３１の内底側端部３２の裏面に固定され、長手方向の中間部に谷折り線からなる屈曲部６１ｂが形成されている。屈曲部６１ｂより他端部側の上面には、面ファスナの一方６２ａが前述の留め具６２として固定されている。支持片６１の他端部であって支持片６１を台紙３１の裏面に沿わせたとき台紙３１よりも突出する突出部６１ｃには、前述の保持具５１を構成する磁石５５または磁着性板５６が保持されている。
【００４３】
台紙３１の裏面における支持片６１に対応する部位であって、台紙３１の引き出し入れ方向の中間部から開口側端部３６にかけての部位には、面ファスナの一方６２ａが係合するテープ状の面ファスナの他方６２ｂが固定されている。面ファスナの他方６２ｂをあえて備えずに、台紙３１の裏面の素材が面ファスナ６２ｂの他方の機能を果たすように構成してもよい。
【００４４】
このように支持片６１を備えた収納ケース１１では、被収納物１２を使用する際に、台紙３１をケース本体２１から引き出して台紙３１とケース本体２１が重なり合うようにして、支持片６１の遊端側である他端部側を屈曲部６１ｂにおいて曲げて、支持片６１の面ファスナの一方６２ａを台紙３１の裏面３１ｂの面ファスナの他方６２ｂの適宜位置に係合させると、図１５に示したように、被収納物１２を適宜の角度に傾けた状態で支持できる。
【００４５】
支持片６１は前述のような帯状ではなく、幅広の板状であってもよい。留め具６２としては面ファスナ６２ａ，６２ｂのほか、例えばスナップや差し込み構造など適宜の係止構造を採用できる。
【００４６】
図１６に示した収納ケース１１は筆記具入れ１１ｃであり、ケース本体２１の開口２２を平面視長方形のケース本体２１の長辺に形成するのではなく短辺に形成しており、図１３、図１４、図１５に示した支持片６１と同一構造の支持片６１を備えた例を示している。台紙３１には、図１２のような保持皿３８に代えて、筆記具１２ｃの下端部を収容する袋部３８ａと、筆記具１２ｃの上部を保持するゴムバンドからなる保持バンド３９ａを備えている。
【００４７】
図１７に示した収納ケース１１は画板ケース１１ｅであり、画板としての使用状態を示している。すなわち、この収納ケース１１は、台紙３１自体を画板で構成し、ケース本体２１と画板である台紙３１との間が連結材４１で連結されている。ケース本体２１の四隅には吊り紐２８を連結可能にする貫通穴２９を有し、台紙３１の表面の上部には被収納物１２としての画用紙１２ｅを保持する紙挟み３９ｂを有している。
【００４８】
図１７に示した収納ケース１１の台紙３１を画板で構成せずに適宜の板材で構成して、例えば楽譜ケースなどとしてもよい。楽譜ケースとする場合には、台紙３１の裏面に支持片６１を備えれば、収納ケース１１を譜面立てとして使用することもできる。
【００４９】
以上の構成はこの発明を実施するための一形態であって、その他の構成を採用することもできる。
【００５０】
たとえば、収納ケース１１は、前述例のほかに、たとえば通帳や書類を入れるケースや、金銭を入れる財布、楽器ケース、彫刻刀入れ、化粧道具入れなど、必要に応じて適宜構成することができる。
【００５１】
ケース本体２１は、表面部２３と、裏面部２４と、底面部２５と、側面部２６をそれぞれ別体のシート材を組み合わせて構成するなど、前述例の構成以外の構成であってもよい。
【００５２】
連結材４１は、紐状など細い形状であってもよく、この場合には、台紙３１を引き出してケース本体２１に重ね合わせるときに、台紙３１の裏面３１ｂをケース本体２１に重ねるほか、反転して台紙３１の表面３１ａをケース本体２１に重ねることもできるようになる。
【００５３】
支持片６１は、例えば三角形の板状に形成して、引き起こすだけで使用できるように構成してもよい。
【符号の説明】
【００５４】
１１…収納ケース
１２…被収納物
２１…ケース本体
２２…開口
３１…台紙
３２…内底側端部
４１…連結材
４２…台紙側の端部
４３…ケース本体側の端部
５１…保持具
６１…支持片
６２…留め具
【図１】
2018038580.tif 000003
【図２】
2018038580.tif 000004
【図３】
2018038580.tif 000005
【図４】
2018038580.tif 000006
【図５】
2018038580.tif 000007
【図６】
2018038580.tif 000008
【図７】
2018038580.tif 000009
【図８】
2018038580.tif 000010
【図９】
2018038580.tif 000011
【図１０】
2018038580.tif 000012
【図１１】
2018038580.tif 000013
【図１２】
2018038580.tif 000014
【図１３】
2018038580.tif 000015
【図１４】
2018038580.tif 000016
【図１５】
2018038580.tif 000017
【図１６】
2018038580.tif 000018
【図１７】
2018038580.tif 000019